(57)【要約】      （修正有）【課題】超音波インターベンション手術を行う際に、穿刺針をスムーズに清潔に人体に進入させることができ、インターベンション手術の安全性や信頼性を保証し、取り扱いやすい腔内超音波インターベンション案内装置を提供する。【解決手段】腔内超音波インターベンション案内装置２は、プラスチック製ブラケット２１と、プラスチック製ブラケット２１に設けられた金属材質の針入ガイドチャネルとを備え、プラスチック製ブラケット２１は、腔内超音波プローブと着脱可能に取り付けられたマウント構造を有し、針入ガイドチャネルは、金属製針入ヘッド２３より提供される針入溝２３１と金属製ガイド管２２より提供される案内溝２２１とを含み、金属製ガイド管２２は、プラスチック製ブラケット２１内に少なくとも部分的に収容され、金属製針入ヘッド２３は、少なくとも針入端がプラスチック製ブラケット２１の外に露出している。プラスチック製ブラケットに全金属の針入ガイドチャネルを形成する。【選択図】図２
0003230239.tif 000002
【実用新案登録請求の範囲】
【請求項１】
プラスチック製ブラケットと、プラスチック製ブラケットに設けられた金属材質の針入ガイドチャネルとを備え、前記プラスチック製ブラケットは、腔内超音波プローブと着脱可能に取り付けられたマウント構造を有し、前記針入ガイドチャネルは、金属製針入ヘッドより提供される針入溝と金属製ガイド管より提供される案内溝とを含み、前記金属製ガイド管は、プラスチック製ブラケット内に少なくとも部分的に収容され、前記金属製針入ヘッドは、少なくとも針入端がプラスチック製ブラケットの外に露出していることを特徴とする腔内超音波インターベンション案内装置。
【請求項２】
前記金属製針入ヘッドの針出端と金属製ガイド管の針入端は、位置決め構造によって、針入溝と案内溝とが突合せるように位置決めされることを特徴とする請求項１に記載の腔内超音波インターベンション案内装置。
【請求項３】
前記金属製針入ヘッドの針出端には、金属製ガイド管の針入端に適合される位置決め溝が開設され、前記金属製ガイド管の針入端は、前記位置決め溝内に挿入されることを特徴とする請求項２に記載の腔内超音波インターベンション案内装置。
【請求項４】
前記金属製針入ヘッドとプラスチック製ブラケットとの間には、金属製針入ヘッドの、金属製ガイド管の軸線に沿う移動及び金属製ガイド管の軸線の回りの回動を制限するように協働する制限構造が設けられていることを特徴とする請求項３に記載の腔内超音波インターベンション案内装置。
【請求項５】
前記制限構造は、金属製針入ヘッドの針出端の外面に開設された回転防止溝と、プラスチック製ブラケットにおける対応する位置に形成されて前記回転防止溝内に充填される回転防止ブロックとを含むことを特徴とする請求項４に記載の腔内超音波インターベンション案内装置。
【請求項６】
前記制限構造は、金属製針入ヘッドの針出端の外面の両側に開設され、対向して前記位置決め溝に貫通される第１制限溝及び第２制限溝と、プラスチック製ブラケットにおける対応する位置に形成されて前記第１制限溝及び第２制限溝に充填される第１制限ブロック及び第２制限ブロックとを含むことを特徴とする請求項５に記載の腔内超音波インターベンション案内装置。
【請求項７】
前記プラスチック製ブラケットは、前記針入ガイドチャネルに一体的に射出成形されることを特徴とする請求項１に記載の腔内超音波インターベンション案内装置。
【請求項８】
前記金属製ガイド管は、円形管であり、円形の案内溝を提供し、前記金属製針入ヘッドの針入溝は、フレア状又は上方が開放された部分的フレア状となっていることを特徴とする請求項１に記載の腔内超音波インターベンション案内装置。
【請求項９】
前記プラスチック製ブラケットには、前記針入ガイドチャネルと突合せる針出口が設けられ、且つ、前記針出口の内面の寸法は針入ガイドチャネルの内面の寸法よりも大きいことを特徴とする請求項１に記載の腔内超音波インターベンション案内装置。
【考案の詳細な説明】
【技術分野】
【０００１】
本考案は、医療機器に関し、より具体的には、腔内超音波インターベンション案内装置に関する。
【背景技術】
【０００２】
現在、腔内超音波プローブと組み合わせてインターベンション診断や治療を行う臨床応用はますます広がっており、インターベンション手術では、いずれも腔内超音波プローブに針誘導器を配置して、穿刺針を手術対象位置に到達するように案内する必要がある。一般的に使用される腔内針誘導器は、２種類があり、その１つは、全体がステンレス鋼材質により加工された、繰り返し消毒・滅菌や再利用の可能な金属誘導器であり、もう１つは、プラスチック材質を用い、出荷前に滅菌された１回限りの使用で使い捨てられるプラスチック誘導器である。１回限りの使用で使い捨てる腔内針誘導器について、穿刺針を案内するガイドチャネルは、針入溝と案内溝とからなり、針入溝及び案内溝がいずれもプラスチック材質を用いる場合もあるし、針入溝がプラスチック材質を用い、案内溝が金属材質を用いる場合もある。いずれの場合でも、穿刺針の誘導器への進入過程において、穿刺針の鋭利な針先はプラスチック材質の針入溝又は案内溝と接触する可能性があり、針先がプラスチック材質に挿入されやすくて、受力による針先の変形や損傷を招き、同時に、針先が針誘導器におけるプラスチック材質の表面を傷付け、プラスチックの一部を削ぎ落として破片として穿刺針に残ることで、穿刺針に付着したプラスチック破片が人体に侵入し、健康上の危険となる恐れがある。
【考案の概要】
【考案が解決しようとする課題】
【０００３】
従来技術の上記欠陥に鑑みて、本考案の解決しようとする技術課題は、穿刺針の人体へのスムーズで清潔な進入を確保できる腔内超音波インターベンション案内装置を提供することである。
【課題を解決するための手段】
【０００４】
本考案のその技術課題を解決するための採用する技術手段として、プラスチック製ブラケットと、プラスチック製ブラケットに設けられた金属材質の針入ガイドチャネルとを備え、前記プラスチック製ブラケットは、腔内超音波プローブと着脱可能に取り付けられたマウント構造を有し、前記針入ガイドチャネルは、金属製針入ヘッドより提供される針入溝と金属製ガイド管より提供される案内溝とを含み、前記金属製ガイド管は、プラスチック製ブラケット内に少なくとも部分的に収容され、前記金属製針入ヘッドは、少なくとも針入端がプラスチック製ブラケットの外に露出している腔内超音波インターベンション案内装置を提供する。
【０００５】
本考案の一実施例によれば、前記金属製針入ヘッドの針出端と金属製ガイド管の針入端は、位置決め構造によって、針入溝と案内溝とが突合せるように位置決めされる。
【０００６】
また、本考案の一実施例によれば、前記金属製針入ヘッドの針出端には、金属製ガイド管の針入端に適合される位置決め溝が開設され、前記金属製ガイド管の針入端は、前記位置決め溝内に挿入される。
【０００７】
さらに、本考案の一実施例によれば、前記金属製針入ヘッドとプラスチック製ブラケットとの間には、金属製針入ヘッドの、金属製ガイド管の軸線に沿う移動及び金属製ガイド管の軸線の回りの回動を制限するように協働する制限構造が設けられている。
【０００８】
さらに、本考案の一実施例によれば、前記制限構造は、金属製針入ヘッドの針出端の外面に開設された回転防止溝と、プラスチック製ブラケットにおける対応する位置に形成されて前記回転防止溝内に充填される回転防止ブロックとを含む。
【０００９】
さらに、本考案の一実施例によれば、前記制限構造は、金属製針入ヘッドの針出端の外面の両側に開設され、対向して前記位置決め溝に貫通される第１制限溝及び第２制限溝と、プラスチック製ブラケットにおける対応する位置に形成されて前記第１制限溝及び第２制限溝に充填される第１制限ブロック及び第２制限ブロックとを含む。
【００１０】
また、本考案の一実施例によれば、前記プラスチック製ブラケットは、前記針入ガイドチャネルに一体的に射出成形される。
【００１１】
また、本考案の一実施例によれば、前記金属製ガイド管は、円形管であり、円形の案内溝を提供し、前記金属製針入ヘッドの針入溝は、フレア状又は上方が開放された部分的フレア状となっている。
【００１２】
また、本考案の一実施例によれば、前記プラスチック製ブラケットには、前記針入ガイドチャネルと突合せる針出口が設けられ、且つ、前記針出口の内面の寸法は針入ガイドチャネルの内面の寸法よりも大きい。
【考案の効果】
【００１３】
本考案の腔内超音波インターベンション案内装置は、プラスチック製ブラケットに全金属の針入ガイドチャネルを形成して、超音波インターベンション手術を行う際に、穿刺針をスムーズで清潔に人体に進入させることができ、インターベンション手術の安全性や信頼性を保証し、取り扱いやすくなる。
【図面の簡単な説明】
【００１４】
以下、本考案について、図面及び実施例を参照しながらさらに説明する。
【図１】本考案の一実施例による腔内超音波インターベンション案内装置と腔内プローブを合わせて使用する分解構造模式図である。
【図２】図１に示す腔内超音波インターベンション案内装置と腔内プローブを合わせて使用する構造断面図である。
【図３】図１に示す腔内超音波インターベンション案内装置のプラスチック製ブラケットと金属製針入ヘッドを合わせる構造模式図である。
【考案を実施するための形態】
【００１５】
本考案の目的、技術手段及び長所をより明瞭にするために、以下、図面及び実施例と共に、本考案についてさらに詳しく説明する。なお、ここで説明される具体的な実施例は、本考案を解釈するためのものに過ぎず、本考案を限定するためのものではいないことを理解すべきである。
【００１６】
図１乃至図３に示すように、本考案の一実施例による腔内超音波インターベンション案内装置２は、主としてプラスチック製ブラケット２１と、金属製ガイド管２２と、金属製針入ヘッド２３とから構成され、金属製ガイド管２２はプラスチック製ブラケット２１内に収容され、金属製針入ヘッド２３は、プラスチック製ブラケット２１の外に露出している。金属製ガイド管２２は、円形管であり、インターベンション手術の案内方向に延びる円形の案内溝２２１を提供することが好ましい。金属製針入ヘッド２３は、当該案内溝２２１と突合せる針入溝２３１を提供することで、プラスチック製ブラケット２１に全金属の針入ガイドチャネルを形成し、インターベンション手術を行うように穿刺針４を案内して、穿刺針４とプラスチック製ブラケット２１との接触を回避する。
【００１７】
図３に示すように、金属製針入ヘッド２３の針出端には、位置決め溝２３２が開設され、当該位置決め溝２３２の形状は金属製ガイド管２２の針入端に適合される。金属製ガイド管２２の針入端を位置決め溝２３２内に挿入すると、金属製ガイド管２２と金属製針入ヘッド２３とを相対的に位置決めして案内溝２２１と針入溝２３１を突合せることができる。金属製ガイド管２２と金属製針入ヘッド２３との両者が位置決められた後に、射出成形機に取り付けられた射出成形用金型内に入れ、そして射出成形によりその上にプラスチック製ブラケット２１を形成する。射出成形が完了すると、プラスチック製ブラケット２１、金属製ガイド管２２及び金属製針入ヘッド２３は、一体部品、即ち腔内穿刺案内装置２を形成する。図２に示すように、射出成形が完了した後、金属製ガイド管２２はプラスチック製ブラケット２１により包裹され、金属製針入ヘッド２３はプラスチック製ブラケット２１と互いに協働する制限構造によってプラスチック製ブラケット２１に固定される。具体的には、図３に示すように、金属製針入ヘッド２３の針出端の外面には、回転防止溝２３３が開設され、プラスチック製ブラケット２１における対応する位置には、当該回転防止溝２３３内に充填される回転防止ブロック２１１が形成され、金属製針入ヘッド２３の針出端の外面の両側には、対向して位置決め溝２３２に貫通される第１制限溝２３４及び第２制限溝２３５が開設され、プラスチック製ブラケット２１における対応する位置には、当該第１制限溝２３４及び第２制限溝２３５内に充填される第１制限ブロック２１２及び第２制限ブロック２１３が形成される。金属製針入ヘッド２３における回転防止溝２３３は、プラスチック製ブラケット２１における回転防止ブロック２１１と協働して、金属製針入ヘッド２３の、金属製ガイド管２２の軸線に沿う回転動きを限制し、金属製針入ヘッド２３における第１制限溝２３４及び第２制限溝２３５は、プラスチック製ブラケット２１における第１制限ブロック２１２及び第２制限ブロック２１３と協働して、金属製針入ヘッド２３の、金属製ガイド管２２の軸線に沿う移動及び金属製ガイド管２２の軸線の回りの回転を限制する。これによって、プラスチック製ブラケット２１、金属製ガイド管２２及び金属製針入ヘッド２３はしっかりと緩みなく結合される。当業者であれば、本考案による異なる実施例において、プラスチック製ブラケット２１、金属製ガイド管２２及び金属製針入ヘッド２３を別々に加工した後、さらに一体に組み立ててもよいことが理解できることは言うまでもない。
【００１８】
さらに、図２に示すように、プラスチック製ブラケット２１において金属製ガイド管２２の針出端に対応して針出口２１４が設けられ、且つ、針出口２１４の内面の寸法は金属製ガイド管２２の内面の寸法よりも大きい。従って、穿刺針４が針出口２１４の位置まで移動する時、プラスチック材質の針出口２１４と接触することがない。さらに、図２及び図３に示すように、金属製針入ヘッド２３の針入溝２３１は、穿刺針４が容易に進入するように、上方が開放された部分的フレア状となって案内溝２２１と突合せている。
【００１９】
超音波インターベンション手術時に、腔内プローブ１の外部に保護カバー３を被せて無菌的に隔離し、腔内超音波インターベンション案内装置２は、プラスチック製ブラケット２１に設けられたマウント構造２１５によって、腔内プローブ１に着脱可能に取り付けて固定される。図１に示すような矢印の方向がインターベンション手術時の案内方向であり、穿刺針４はまず金属製針入ヘッド２３と接触し、その後に金属製ガイド管２２を通過して、最後にプラスチック製ブラケット２１の針出口２１４から出て手術対象位置に進入し始める。穿刺針４は金属製針入ヘッド２３における針入溝２３１から金属製ガイド管２２内の案内溝２２１に進入し、さらにプラスチック製ブラケット２１の針出口２１４から出る全過程において、プラスチック材質と接触することはない。穿刺針４の針先がプラスチック材質を傷付けて破片が人体に進入することを回避し、インターベンション手術の安全性や信頼性を保証し、取り扱いやすくなる。
【００２０】
本考案の別の実施例による腔内超音波インターベンション案内装置において、プラスチック製ブラケット２１は、互いに個別的な針入端ブラケットと針出端ブラケットの両方からなり、両者はそれぞれ腔内超音波プローブ２に着脱可能に取り付けられたマウント構造を有する。金属製ガイド管２２の両端は、針入端ブラケットと針出端ブラケット内にそれぞれ収容されて中間部を露出させ、金属製針入ヘッド２３は、前述した実施例と同じ形態で針入端ブラケットに設けられ、金属製ガイド管２２の案内溝２２１と突合せる。同様に、針出端ブラケットは、前述した実施例と同じ形態の針出口２１４が設けられてもよい。
【００２１】
以上の記述は本考案の好ましい実施例に過ぎず、本考案を限定するためのものではない。なお、本考案の構想や原則内でなされる如何なる修正や、同等な置換、改良等は、いずれも本考案の保護範囲内に含まれる。
【図１】
0003230239.tif 000003
【図２】
0003230239.tif 000004
【図３】
0003230239.tif 000005